(57)【特許請求の範囲】
【請求項１】
遊技盤が配設される本体と、前記本体に対して開閉可能に支持され、該本体に対して閉鎖した状態で遊技盤を透視保護する前側部材と、前記遊技盤に配設され、盤面を流下する遊技球が入賞可能な入賞口を有する入賞装置とを備えると共に、前記入賞装置は、前記入賞口を開閉可能な開閉部材と、前記開閉部材を閉鎖する第１位置および該開閉部材を開放する第２位置に変位可能な作動手段とを有し、駆動手段の駆動により作動手段を第１位置および第２位置に変位することで開閉部材を開閉するよう構成された遊技機において、
前記入賞装置は、前記第１位置にある作動手段に係合して該作動手段の第２位置への変位を規制する規制姿勢、および当該作動手段の第１位置から第２位置への変位を許容する許容姿勢に変更可能な規制手段を備え、
前記規制手段は、前記本体に対する前記前側部材の閉鎖に伴って規制姿勢とされると共に、該本体に対する前側部材の開放に伴って規制手段が許容姿勢とされ、当該規制手段が規制姿勢とされた状態では、前記駆動手段の駆動により前記作動手段と規制手段との係合を一時的に解除して作動手段の第２位置への変位を許容するよう構成された
ことを特徴とする遊技機。
【請求項２】
前記規制手段は、
前記第１位置にある作動手段に係合して該作動手段の第２位置への変位を規制する規制姿勢、および当該作動手段の第１位置から第２位置への変位を許容する許容姿勢に変更し得ると共に、前記規制姿勢に付勢された第１規制部材と、
前記本体に対する前側部材の開放に伴って前記第１規制部材を許容姿勢に変位する第２規制部材と、
前記駆動手段の駆動により前記作動手段との係合を解除するよう前記第１規制部材を変位する解除部とを備える請求項１記載の遊技機。
【請求項３】
前記作動手段は、前記駆動手段に接続されて該駆動手段により作動される第１作動部材と、該第１作動部材および開閉部材を連繋接続し、当該第１作動部材の作動に伴って揺動されて開閉部材を開閉する第２作動部材とを備え、前記第１作動部材に前記解除部が形成され、
前記本体に対して前記前側部材を閉鎖した状態では、前記駆動手段の非駆動時に前記第２作動部材の揺動を規制するよう前記第１規制部材が第２作動部材に当接係合するよう構成されて、前記駆動手段の駆動による前記第１作動部材の作動に伴って、前記第２作動部材との係合を解除するよう第１規制部材が変位されるよう構成された請求項２記載の遊技機。
【請求項４】
前記第１規制部材は、前記入賞装置の装置本体に対して回転可能に支持された軸部から径方向外方に延出する第１アームが形成されると共に、該第１アームから周方向に離間する位置に、該軸部から径方向外方に延出する第２アームが形成されて、当該第１アームが前記第１位置にある作動手段に係合する前記規制姿勢から前記軸部を中心に回転することで前記許容姿勢に変位するよう構成され、
前記第２規制部材は、前記入賞装置の装置本体に対して前後方向に移動可能に支持されて、常には前方へ向けて付勢されると共に、前方移動に伴って前記第１規制部材を規制姿勢から許容姿勢に回転するよう前記第２アームを押圧する押圧部が形成されて、
前記本体に対して前記前側部材を閉鎖した状態では、該前側部材により前記該第２規制部材が後方移動されて前記第１規制部材を規制姿勢に保持すると共に、前記本体に対して前記前側部材を開放した際に第２規制部材が前方移動することで、前記押圧部が第２アームを押圧して第１規制部材を許容姿勢に変位するよう構成された請求項２または３記載の遊技機。
【発明の詳細な説明】
【技術分野】
【０００１】
この発明は、遊技機に関し、更に詳細には、遊技盤が配設される本体に対して前側部材を開閉可能に支持すると共に、開閉部材により入賞口を開閉する入賞装置を備えた遊技機に関するものである。
【背景技術】
【０００２】
代表的な遊技機であるパチンコ機は、遊技盤の盤面に画成した遊技領域の略中央位置に枠状の装飾部材(所謂センター役物)が配設されており、この装飾部材の開口部を介して複数の図柄を変動表示して図柄変動ゲームを行なう液晶式やドラム式等の図柄表示装置を後方から臨ませると共に、該遊技盤における装飾部材の下方位置に、パチンコ球(遊技球)の入賞により図柄表示装置での変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動ゲームに伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。
【０００３】
前記始動入賞装置には、パチンコ球が入賞する入賞口を複数(例えば２つ)備えたタイプのものが知られており、この種の始動入賞装置では一方の入賞口を羽根とも称される開閉部材で常には閉鎖し、所定条件のもとでソレノイド等の駆動手段を駆動して開閉部材を開閉作動するよう構成されている。そして、入賞口を開閉するタイプの始動入賞装置では、開閉部材の開閉状態が遊技者の利益に関わることから、パチンコ機の隙間から遊技領域内へ針金等を侵入させて開閉部材を強制的に開放する不正行為(所謂ゴト行為)が近年多発しており、問題となっている。そこで、このような不正行為に対処する手段として、例えば特許文献１に開示される技術が提案されている。
【先行技術文献】
【特許文献】
【０００４】
【特許文献１】特開２００３−３４００２０号公報
【発明の概要】
【発明が解決しようとする課題】
【０００５】
ところで、特許文献１に開示された始動入賞装置では、開閉部材を閉鎖した状態において駆動源であるソレノイドのプランジャに操作子を当接させて、ソレノイド以外の外力による開閉部材の開放を完全に不能としている。しかしながら、パチンコ機の製造工程で実施される始動入賞装置の検査作業では、該パチンコ球の通出確認等に際してソレノイドを駆動することなく手動等により開閉部材を強制的に開放してパチンコ球を入賞することが一般に行なわれる。このときに、開閉部材の強制的な開放を完全に不能にしてしまうと、検査作業に際してソレノイドを頻繁に駆動する必要があり作業効率が大きく低下する問題がある。
【０００６】
そこで本発明は、従来の技術に内在する前記問題に鑑み、これらを好適に解決するべく提案されたものであって、遊技に供される状態では開閉部材の強制開放を防止しつつ、検査作業等に際しては開閉部材の強制的な開放を許容し得る入賞装置を備えた遊技機を提供することを目的とする。
【課題を解決するための手段】
【０００７】
前記課題を克服し、所期の目的を達成するため、本願の請求項１に係る発明は、
遊技盤(18)が配設される本体(12)と、前記本体(12)に対して開閉可能に支持され、該本体(12)に対して閉鎖した状態で遊技盤(18)を透視保護する前側部材(14)と、前記遊技盤(18)に配設され、盤面を流下する遊技球が入賞可能な入賞口(21b)を有する入賞装置(21)とを備えると共に、前記入賞装置(21)は、前記入賞口(21b)を開閉可能な開閉部材(28,29)と、前記開閉部材(28,29)を閉鎖する第１位置および該開閉部材(28,29)を開放する第２位置に変位可能な作動手段(32)とを有し、駆動手段(31)の駆動により作動手段(32)を第１位置および第２位置に変位することで開閉部材(28,29)を開閉するよう構成された遊技機において、
前記入賞装置(21)は、前記第１位置にある作動手段(32)に係合して該作動手段(32)の第２位置への変位を規制する規制姿勢、および当該作動手段(32)の第１位置から第２位置への変位を許容する許容姿勢に変更可能な規制手段(33)を備え、
前記規制手段(33)は、前記本体(12)に対する前記前側部材(14)の閉鎖に伴って規制姿勢とされると共に、該本体(12)に対する前側部材(14)の開放に伴って規制手段(33)が許容姿勢とされ、当該規制手段(33)が規制姿勢とされた状態では、前記駆動手段(31)の駆動により前記作動手段(32)と規制手段(33)との係合を一時的に解除して作動手段(32)の第２位置への変位を許容するよう構成されたことを特徴とする。
【０００８】
請求項１の発明によれば、前側部材を本体に対して閉鎖した遊技機が遊技に供され得る状態では、開閉部材を閉鎖する第１位置にある作動手段に規制手段が係合して、該開閉部材を開放する第２位置への作動手段の変位を規制するよう構成したから、不正部材により開閉部材が開放されるのを防止できる。また、遊技機が遊技に供され得る状態において、駆動手段を駆動した際には、前記作動手段と規制手段との係合を一時的に解除して作動手段の第２位置への変位を許容することで、入賞口への正規な入賞を確保することができる。一方で、前側部材が本体に対して開放されて遊技機が遊技に供されない状態では、作動手段の第１位置から第２位置への変位を許容する許容姿勢に規制手段が変位することで、駆動手段の駆動によらず開閉部材を強制的に開放することができ、遊技機の検査作業を効率的に行なうことができる。
【０００９】
請求項２の発明では、前記規制手段(33)は、
前記第１位置にある作動手段(32)に係合して該作動手段(32)の第２位置への変位を規制する規制姿勢、および当該作動手段(32)の第１位置から第２位置への変位を許容する許容姿勢に変更し得ると共に、前記規制姿勢に付勢された第１規制部材(55)と、
前記本体(12)に対する前側部材(14)の開放に伴って前記第１規制部材(55)を許容姿勢に変位する第２規制部材(56)と、
前記駆動手段(31)の駆動により前記作動手段(32)との係合を解除するよう前記第１規制部材(55)を変位する解除部(48)とを備えることを要旨とする。
請求項２の発明によれば、入賞装置の装置構成を複雑とすることなく遊技に供される状態では開閉部材の強制開放を防止しつつ、検査作業等に際して開閉部材の強制的な開放を可能とし得る。
【００１０】
請求項３の発明では、前記作動手段(32)は、前記駆動手段(31)に接続されて該駆動手段(31)により作動される第１作動部材(44)と、該第１作動部材(44)および開閉部材(28,29)を連繋接続し、当該第１作動部材(44)の作動に伴って揺動されて開閉部材(28,29)を開閉する第２作動部材(45)とを備え、前記第１作動部材(44)に前記解除部(48)が形成され、
前記本体(12)に対して前記前側部材(14)を閉鎖した状態では、前記駆動手段(31)の非駆動時に前記第２作動部材(45)の揺動を規制するよう前記第１規制部材(55)が第２作動部材(45)に当接係合するよう構成されて、前記駆動手段(31)の駆動による前記第１作動部材(44)の作動に伴って、前記第２作動部材(45)との係合を解除するよう第１規制部材(55)が変位されるよう構成されたことを要旨とする。
請求項３の発明によれば、入賞装置の装置構成を複雑とすることなく遊技に供される状態では開閉部材の強制開放を防止しつつ、検査作業等に際して開閉部材の強制的な開放を可能とし得る。
【００１１】
請求項４の発明は、前記第１規制部材(55)は、前記入賞装置(21)の装置本体(30)に対して回転可能に支持された枢支部(58)から径方向外方に延出する第１アーム(59)が形成されると共に、該第１アーム(59)から周方向に離間する位置に、該枢支部(58)から径方向外方に延出する第２アーム(60)が形成されて、当該第１アーム(59)が前記第１位置にある作動手段(32)に係合する前記規制姿勢から前記枢支部(58)を中心に回転することで前記許容姿勢に変位するよう構成され、
前記第２規制部材(56)は、前記入賞装置(21)の装置本体(30)に対して前後方向に移動可能に支持されて、常には前方へ向けて付勢されると共に、前方移動に伴って前記第１規制部材(55)を規制姿勢から許容姿勢に回転するよう前記第２アーム(60)を押圧する押圧部(66)が形成されて、
前記本体(12)に対して前記前側部材(14)を閉鎖した状態では、該前側部材(14)により前記第２規制部材(56)が後方移動されて前記第１規制部材(55)を規制姿勢に保持すると共に、前記本体(12)に対して前記前側部材(14)を開放した際に第２規制部材(56)が前方移動することで、前記押圧部(66)が第２アーム(60)を押圧して第１規制部材(55)を許容姿勢に変位するよう構成されたことを要旨とする。
請求項４の発明によれば、前側部材の開閉に伴って第２規制部材が前後移動することで、前記第１規制部材を規制姿勢および許容姿勢に変位させることができ、入賞装置の装置構成を複雑とすることなく遊技に供される状態では開閉部材の強制開放を防止しつつ、検査作業等に際して開閉部材の強制的な開放を可能とし得る。
【発明の効果】
【００１２】
本発明に係る遊技機によれば、遊技に供される状態では入賞装置の開閉部材の強制開放を防止しつつ、検査作業等に際しては開閉部材の強制的な開放を許容し得る。
【図面の簡単な説明】
【００１３】
【図１】本発明の好適な実施例に係るパチンコ機を示す正面図である。
【図２】実施例に係る遊技盤を示す正面図である。
【図３】実施例に係る始動入賞装置を前側から視た分解斜視図である。
【図４】実施例に係る始動入賞装置の作動手段および規制手段等の主要部分を分解した状態を前側から視た分解斜視図である。
【図５】実施例に係る始動入賞装置における取付部材に対する第２規制部材の配設部位を縦断して示す要部断面図である。
【図６】実施例に係る始動入賞装置の主要部分を、作動手段が第１位置に保持されると共に規制手段が規制姿勢に保持された状態で前側から視た斜視図である。
【図７】実施例に係る始動入賞装置の主要部分を、図６の状態で後側から視た斜視図である。
【図８】実施例に係る始動入賞装置の主要部分を、作動手段が第１位置に保持されると共に、前枠の開放により規制手段が許容姿勢に移動した状態で前側から視た斜視図である。
【図９】実施例に係る始動入賞装置の主要部分を、図８の状態で後側から視た斜視図である。
【図１０】実施例に係る始動入賞装置の主要部分を、前枠の閉鎖状態においてソレノイドの励磁により開閉部材を開放した状態で前側から視た斜視図である。
【図１１】実施例に係る始動入賞装置の主要部分を、前枠の閉鎖状態で一部破断して示す概略正面図であって、第２開閉部材は省略してある。
【図１２】図１１のＡ−Ａ線断面図であって、第２開閉部材を付加してある。
【図１３】実施例に係る始動入賞装置の主要部分を、前枠の閉鎖状態においてソレノイドの励磁により開閉部材を開放した状態で一部破断して示す概略正面図であって、第２開閉部材は省略してある。
【図１４】図１３のＢ−Ｂ線断面図であって、第２開閉部材を付加してある。
【図１５】実施例に係る始動入賞装置の主要部分を、前枠の開放状態で一部破断して示す概略正面図であって、第２開閉部材は省略してある。
【図１６】図１５のＣ−Ｃ線断面図であって、第２開閉部材を付加してある。
【図１７】実施例に係る始動入賞装置の主要部分を、前枠の開放状態で開閉部材を強制的に開放した状態で一部破断して示す概略正面図であって、第２開閉部材は省略してある。
【図１８】図１７のＤ−Ｄ線断面図であって、第２開閉部材を付加してある。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
実施例に係るパチンコ機１０は、図１に示すように、前後に開口する矩形枠状に形成されて遊技店の図示しない設置枠台に固定される固定枠としての外枠１１の開口前面側に、後述する遊技盤１８(図２参照)を着脱可能に保持する本体枠としての中枠(本体)１２が開閉および着脱可能に組み付けられて、該遊技盤１８の裏側に、各種特別図柄を変動表示可能な特別図柄表示装置１３が着脱可能に配設されている。また、前記中枠１２の前面側には、前記遊技盤１８を透視保護するガラス板等の透視保護体１４ａを備えた装飾枠としての前枠(前側部材)１４が開閉可能に組み付けられると共に、該前枠１４の下方にパチンコ球を貯留する下球受け皿１５が開閉可能に組み付けられる。なお、実施例では、前記前枠１４の下部位置に、パチンコ球を貯留する上球受け皿１６が一体的に組み付けられており、前枠１４の開閉に合わせて上球受け皿１６も一体的に開閉するよう構成される。また、前記中枠１２の右下方位置には、該中枠１２に配設された打球発射装置(図示せず)を作動する操作ハンドル１７が設けられており、該操作ハンドル１７の操作により打球発射装置が作動することで、前記上球受け皿１６に貯留されたパチンコ球が前記遊技盤１８に向けて発射されるようになっている。なお、実施例では、前記特別図柄表示装置１３として、各種特別図柄を表示可能な液晶パネルを収容ケースに収容した液晶表示装置が採用されるが、これに限られるものではなく、ドラム式の表示装置やドットマトリックス式の表示装置、７セグメントディスプレイ、その他の各種特別図柄を停止および変動表示可能な表示装置を採用し得る。また、前記上球受け皿１６は、前記前枠１４と別体に形成して中枠１２に対して開閉可能に組み付けるようにしてもよく、また上下の球受け皿１５,１６の一方を省略して１つの球受け皿のみ設ける構成であってもよい。
【００１６】
(遊技盤について)
前記遊技盤１８は、図２に示すように、所定板厚の略矩形状に形成された合板の表面にセルを貼付けた板部材であって、該遊技盤１８の表面に、略円形状に湾曲したレール１９が設けられて、該レール１９によりパチンコ球が流下可能な遊技領域１８ａが画成され、前記打球発射装置から発射されたパチンコ球が遊技領域１８ａ内に打ち出されるようになっている。また遊技盤１８には、前後に貫通する装着口(図示せず)が前記遊技領域１８ａ内に複数開設されて、各装着口に対して各種部品が前側から取付けられている。また、前記遊技盤１８には、前記遊技領域１８ａ内に多数の遊技釘が植設されており、遊技領域１８ａを流下するパチンコ球が遊技釘に接触することでパチンコ球の流下方向を不規則に変化させたり、パチンコ球を一定方向に誘導するようになっている。なお、前記装着口の形成数や大きさは、遊技盤１８に対して取付けられる各種部品の個数や配設位置等に応じて適宜決定される。なお、前記遊技盤１８は、アクリル板等の透明板から構成したものであってもよい。
【００１７】
前記遊技盤１８には、前記遊技領域１８ａの略中央に設けられた装着口(図示せず)に、前後に開口する窓口２０ａが形成された枠状装飾体２０(図２参照)が取付けられ、該枠状装飾体２０の窓口２０ａを介して遊技盤１８の裏側に配設された前記特別図柄表示装置１３の表示面が遊技盤１８の前面側に臨むよう構成されている。また、枠状装飾体２０の下方には、遊技領域１８ａを流下するパチンコ球が入賞可能な始動入賞装置(入賞装置)２１や特別入賞装置２２が取付けられている。特別入賞装置２２は、入賞口２２ａが開閉扉(開閉部材)２２ｂで常には閉鎖されるよう構成される。そして、前記始動入賞装置２１の入賞口２１ａ,２１ｂにパチンコ球が入賞することで、前記特別図柄表示装置１３に特別図柄を変動表示する特別図柄変動演出が展開され、該特別図柄変動演出の結果、特別図柄表示装置１３に所定の特別図柄組み合わせ(例えば同一特別図柄の３つ揃い等)で特別図柄が停止表示されると、前記特別入賞装置２２の開閉扉２２ｂが開放作動されて所謂大当りが発生し、特別入賞装置２２の入賞口２２ａが開放されて遊技者が多数の賞球を獲得可能な機会が与えられるようになっている。なお、前記枠状装飾体２０には、パチンコ機の遊技内容に合わせた装飾部が適宜位置に設けられている。また、遊技盤１８には、パチンコ球が入賞可能な一般入賞装置２３が複数箇所に設けられると共に、該遊技盤１８における遊技領域１８ａの最下方位置には、始動入賞装置２１や特別入賞装置２２、一般入賞装置２３に入賞しないパチンコ球を排出するアウト口２４を設けてある。
【００１８】
前記遊技盤１８には、図２に示す如く、前記枠状装飾体２０の左側方に、遊技領域１８ａを流下するパチンコ球が通過可能なゲート状の始動通過口２５が設けられており、該始動通過口２５には、パチンコ球の通過を検出する球検出センサ(図示せず)を設けてある。また遊技盤１８には、普通特別図柄を変動して普通特別図柄変動ゲームを行なうＬＥＤ表示式の普通特別図柄表示装置２６が設けられており、始動通過口２５にパチンコ球が通過したことを球検出センサが検出することで、普通特別図柄表示装置２６での普通特別図柄変動ゲームが開始されるようになっている。そして、普通特別図柄変動ゲームの結果、前記普通特別図柄表示装置２６に当り特別図柄が表示(例えば〇が点灯)されることで、前記始動入賞装置２１の開閉部材２８,２９(後述)が開放状態になるよう構成されている。
【００１９】
(始動入賞装置について)
図３または図４に示すように、前記始動入賞装置２１は、前記遊技盤１８に取付けられ、前記遊技領域１８ａを流下するパチンコ球が入賞可能な上部入賞口２１ａおよび下部入賞口２１ｂが前側に設けられる取付部材２７と、該取付部材２７の前側に設けられて下部入賞口２１ｂを開閉する開閉部材２８,２９と、当該取付部材２７の裏側に設けられて上部入賞口２１ａおよび下部入賞口２１ｂに連通する球通路３０ａ,３０ｂが形成された装置本体３０と、該装置本体３０に設けられた駆動手段３１と、該駆動手段３１の駆動に伴って開閉部材２８,２９を作動させる作動手段３２と、前記中枠１２に対して前枠１４を閉鎖した状態で作動手段３２の作動を規制すると共に前記駆動手段３１の駆動による作動手段３２の作動を許容する規制手段３３とを備えている。すなわち、実施例に係る始動入賞装置２１では、前記中枠１２に対して前枠１４を閉鎖した状態において、前記規制手段３３が作動手段３２の作動を規制することで前記開閉部材２８,２９の強制開放を防止する一方で、前記駆動手段３１を駆動した際には開閉部材２８,２９が開放されるよう構成される(図６〜図１８参照)。
【００２０】
(取付部材および上部球受け部について)
図３および図４に示すように、前記取付部材２７は、平板状に形成されると共に前後に開口する開口部２７ａが開設されて、該開口部２７ａが前記装着口に臨むよう前記遊技盤１８の前面にネジ止めされる。また、前記取付部材２７には、前記開口部２７ａの上方位置に、上方および後方に開口する上部球受け部３４が前方へ突出するよう設けられている。そして、前記上部球受け部３４の上方開口が前記遊技領域１８ａ内で開口すると共に、該上部球受け部３４の後方開口が前記装着口に開口するよう構成されている。すなわち、前記上部球受け部３４の上方開口が前記遊技盤１８の遊技領域１８ａ内を流下するパチンコ球が入賞可能な前記上部入賞口２１ａとして機能し、該上部入賞口２１ａに入賞したパチンコ球が上部球受け部３４の後方開口を介して前記装置本体３０側(後述する装置本体３０の第１球通路３０ａ)に移動するようになっている。なお、実施例では、前記取付部材２７に対して前記上部球受け部３４が一体的に形成されている。
【００２１】
図３および図４に示すように、前記取付部材２７における前記上部球受け部３４の側方位置(図３,図４の右側方位置)には、前後に開口する筒状部３５が前方へ突出するよう形成されており、該筒状部３５内に、前記規制手段３３を構成する第２規制部材５６およびバネ部材６５(何れも後述)が内挿されている(図５参照)。また、前記筒状部３５の前端部には、開口内側に延出する抜止め部３５ａが形成され、該抜止め部３５ａによって第２規制部材５６の前側への抜止めが図られるようになっている。
【００２２】
前記取付部材２７の後面側には、前記筒状部３５と対応する位置に、平板状の第１の装飾板３６が取付けられる。第１の装飾板３６には、図５に示す如く、前記筒状部３５の後側開口部と対応する位置に、該後側開口部の開口径よりも小径に設定された通孔３６ａが前後に貫通するよう形成されている。前記筒状部３５における前側開口部の開口径および第１の装飾板３６の通孔３６ａの開口径は、何れも第２規制部材５６の後述する当接部６３の大径後部より小径に形成されて、第２規制部材５６が筒状部３５から前後に脱落するのを防止している。また、第１の装飾板３６と第２規制部材５６の当接部６３との間に介装されたバネ部材６５により、第２規制部材５６は常には前方に向けて付勢されるように構成される。なお、前記取付部材２７の後面側には、前記第１の装飾板３６に対して前記開口部２７ａを挟む位置に、第２の装飾板３７が取付けられている。
【００２３】
(下部球受け部について)
前記取付部材２７の前側には、図３に示すように、前記開口部２７ａの前側に、前記下部入賞口２１ｂを形成する下部球受け部３８が設けられている。この下部球受け部３８は、前記取付部材２７に対向する前面板部３８ａの下縁部に後方へ延出する受け板部３８ｂが形成されて、該受け板部３８ｂの後端部を取付部材２７の前面に当接させた状態で固定される。前記下部球受け部３８の前面板部３８ａと取付部材２７の前面との離間距離がパチンコ球の直径より大きく設定される一方で、該前面板部３８ａと前記上部球受け部３４の下面との離間距離はパチンコ球の直径よりも小さく設定されており、該下部球受け部３８の受け板部３８ｂと上部球受け部３４との間において左右両側方に開口する側方開口が、前記下部入賞口２１ｂとして機能するよう構成される。また、前記下部球受け部３８の前面板部３８ａには、左右に離間する位置に、後方へ向けて延出する支軸３８ｃ(図３には右側のみ図示)が夫々形成されており、各支軸３８ｃに前記開閉部材２８,２９が夫々揺動可能に支持されている。なお、前記下部球受け部３８には、前記取付部材２７に形成した開口部２７ａの前側位置に、パチンコ球を開口部２７ａ側に誘導する球誘導部(図示せず)が形成されており、前記下部入賞口２１ｂに入賞したパチンコ球を、球誘導部で開口部２７ａ側に誘導し、該開口部２７ａを介して前記装置本体３０側(後述する第２球通路３０ｂ)に通入し得るようになっている。
【００２４】
(開閉部材について)
前記開閉部材２８,２９は、前記取付部材２７の開口部２７ａを挟む左右両側に位置するよう取付部材２７の前側に配置されて、前記下部球受け部３８に形成された左右の下部入賞口２１ｂ,２１ｂを閉鎖する閉鎖位置(図６〜図９,図１１,図１５参照)と、該下部入賞口２１ｂ,２１ｂを開放する開放位置(図１０,図１３,図１７参照)に変位し得るよう構成される。なお、前記開閉部材２８,２９は、閉鎖位置にある状態で、互いに左右対称な形状で上方に向かって徐々に薄肉となる所謂フラップ形状に形成されている。前記各開閉部材２８,２９の下部位置には、前後方向に貫通する軸孔２８ａ,２９ａが形成されており、該軸孔２８ａ,２９ａに前記下部球受け部３８の支軸３８ｃ,３８ｃを挿通することで、開閉部材２８,２９が下部球受け部３８に揺動可能に組み付けられている。そして、前記開閉部材２８,２９の上端部(先端部)が、相互に近接する方向および相互に離間する方向へ揺動するようになっている。以後の説明において左右の開閉部材２８,２９を区別する場合は、左側の開閉部材を第１開閉部材２８と指称し、右側の開閉部材を第２開閉部材２９と指称する。
【００２５】
ここで、前記一対の開閉部材２８,２９の上端部を相互に離間させた開放位置(図１０,図１３,図１７参照)では、該開閉部材２８,２９と前記上部球受け部３４との間から前記下部入賞口２１ｂへのパチンコ球の入賞を許容すると共に、開閉部材２８,２９の上端部を相互に近接させた閉鎖位置(図６〜図９,図１１,図１５参照)では、該開閉部材２８,２９の上端部が上部球受け部３４の真下に位置して、開閉部材２８,２９および上部球受け部３４により下部入賞口２１ｂへのパチンコ球の入賞を規制するよう構成される。また、前記各開閉部材２８,２９における軸孔２８ａ,２９ａの近傍には、前記取付部材２７に開設した開口部２７ａを通って取付部材２７の後方へ延在する連繋軸２８ｂ,２９ｂが夫々形成されており、該連繋軸２８ｂ,２９ｂに対して前記作動手段３２(後述の第２作動部材４５)が接続される。
【００２６】
(装置本体について)
図３に示すように、前記装置本体３０は、前後に分割可能な前部材３９と後部材４０とから構成され、両部材３９,４０を前後に組み付けることで、前記上部球受け部３４に設けられた上部入賞口２１ａの後方開口に対応した位置に、前後に延在する第１球通路３０ａが形成されると共に、前記下部球受け部３８の下部入賞口２１ｂ(取付部材２７の開口部２７ａ)に対応する位置に、前後に延在する第２球通路３０ｂが形成される。また、装置本体３０には、前記第１球通路３０ａおよび第２球通路３０ｂの経路途中に、図示しない球検出センサが各球通路３０ａ,３０ｂに対応して配設されており、上部入賞口２１ａおよび下部入賞口２１ｂに入賞したパチンコ球を対応の球検出センサが検出することで、前記特別図柄表示装置１３において特別図柄変動演出が開始されると共に、球払出装置により所定数の賞球が払い出されるようになっている。なお、前記装置本体３０には、前記第１球通路３０ａおよび第２球通路３０ｂにおける前記球検出センサの配置位置より下流側に、パチンコ球を排出する球排出口(図示せず)が形成されており、上部入賞口２１ａおよび下部入賞口２１ｂに入賞したパチンコ球を前記遊技盤１８の裏側で排出し得るよう構成される。
【００２７】
前記装置本体３０の後端部に、前記開閉部材２８,２９を開閉作動する前記駆動手段としてのソレノイド３１が取付けられている。このソレノイド３１は、図３および図４に示す如く、通電により磁力を発生する本体部４１と、該本体部４１に挿通されると共に前記装置本体３０の内部に延在して、発生した磁力により前後方向に直線的に進退移動するプランジャ４２とから構成されて、該プランジャ４２の前端部に前記作動手段３２(第１作動部材４４)が接続されている。ソレノイド３１の本体部４１と、プランジャ４２の前端部に設けられた円盤状の係合板４２ａとの間に、プランジャ４２を前方へ向けて付勢するバネ等の弾性部材４３が介装されており、ソレノイド３１に通電していない非励磁状態(非作動時)においては、弾性部材４３の弾性力によりプランジャ４２が前方に突出し(図１２,図１６参照)、ソレノイド３１に通電した励磁状態(作動時)においては、弾性部材４３の弾性力に抗してプランジャ４２が後方移動するようになっている(図１４参照)。そして、ソレノイド３１が励磁状態となることで、前記作動手段３２を介して前記開閉部材２８,２９が開放され(図１０,図１３,図１４参照)、またソレノイド３１が非励磁状態となることで、作動手段３２を介して開閉部材２８,２９が閉成される(図６,図７,図１１,図１２参照)よう構成される。
【００２８】
(作動手段について)
図４,図６〜図１０に示すように、前記作動手段３２は、前記ソレノイド３１のプランジャ４２に接続され、ソレノイド３１の駆動に伴ってプランジャ４２と一体的に前後移動する第１作動部材４４と、前記装置本体３０に揺動自在に支持され、前記開閉部材２８,２９を第１作動部材４４に接続する第２作動部材４５とから構成されて、該第１作動部材４４を前後移動することで、第２作動部材４５が揺動して開閉部材２８,２９が閉鎖位置と開放位置とに変位するよう構成される。実施例では、開閉部材２８,２９を閉鎖位置に保持する状態での第１作動部材４４および第２作動部材４５の位置を夫々第１位置と指称すると共に、開閉部材２８,２９を開放位置に保持する状態での第１作動部材４４および第２作動部材４５の位置を夫々第２位置と指称するものとする。なお、実施例では、装置本体３０に、開閉部材２８,２９を閉鎖位置と開放位置とに変位する作動手段３２と、該作動手段３２を作動するソレノイド３１とが配設されて、１つのユニットを構成している。
【００２９】
前記第１作動部材４４は、図４に示す如く、前後方向に延在する板状の作動体４６の後端部に、下方に延在する係合受部４７が設けられ、該係合受部４７に形成されて上方に開放するスリット４７ａに、前記プランジャ４２の係合板４２ａが上方から差し込まれることで、プランジャ４２と第１作動部材４４とが接続される(図７,図９参照)。すなわち、前記ソレノイド３１の非励磁状態においては、第１作動部材４４は第１位置(前方の位置)で停止保持されると共に、ソレノイド３１が励磁すると、第１作動部材４４はプランジャ４２と共に後方へスライドして第２位置(後方の位置)に保持されるよう構成される。また、前記作動体４６の前部側には、前記第２作動部材４５と連繋するための連繋孔４６ａが上下方向に貫通して形成されている。
【００３０】
図６に示すように、前記第１作動部材４４における前記作動体４６の前端部側には、前記規制手段３３の第１規制部材５５に形成された第１アーム５９における規制部５９ｂ(何れも後述)が臨む切欠部４６ｂが形成されている。また作動体４６には、前記切欠部４６ｂの側方位置に、上方へ突出して作動手段３２(第１作動部材４４)と規制手段３３(第１規制部材５５)との係合を一時的に解除する解除部４８が形成されている。この解除部４８の後端部は、図８,図１４,図１６,図１８等に示す如く、前側へ向かうにつれて上方傾斜する傾斜案内面４８ａとされ、前記第１作動部材４４が後方移動する際に、前記第１規制部材５５の第１アーム５９を上方に押し上げ得るようになっている。なお、前記切欠部４６ｂは、前記解除部４８の後端部よりも後方まで延在するよう形成されて、前記第１規制部材５５の第１アーム５９を、第１作動部材４４における作動体４６の上面に当接させた状態で、該第１アーム５９の規制部５９ｂを切欠部４６ｂに臨ませ得るよう構成してある。また、前記第１作動部材４４の作動体４６には、切欠部４６ｂの後方位置に上方へ突出する規制突起４６ｃが形成され、第１作動部材４４を第１位置に停止保持した状態で、該規制突起４６ｃにより第１アーム５９における規制部５９ｂの後端を位置規制し得るよう構成される(図１２参照)。
【００３１】
前記第２作動部材４５は、図３および図４に示すように、前端が上下の二股状に形成されて前記第１開閉部材２８に形成した連繋軸２８ｂの後端が突入係合する係合凹部４９ａが形成された第１腕部４９と、該第１腕部４９に対して側方(図４の右側方)に離間位置し、前端が上下の二股状に形成されて前記第２開閉部材２９に形成した連繋軸２９ｂの後端が突入係合する係合凹部５０ａが形成された第２腕部５０と、両腕部４９,５０の後端上部を連結する略弧状の連結部５１と、前記第１作動部材４４に接続する接続部５２とから構成される。前記第１腕部４９および第２腕部５０における相互に離間した側面には、外側に向けて突出する揺動軸５３が夫々突設されており、前記装置本体３０の前部材３９に形成した軸支持凹部３９ａ,３９ａに揺動軸５３,５３を係合した状態で、前部材３９と後部材４０とを組み付けることで、前記揺動軸５３,５３を軸として各腕部４９,５０の前端部が上下動するよう第２作動部材４５が揺動可能に支持される。そして、第２作動部材４５は、両腕部４９,５０の係合凹部４９ａ,５０ａが斜め下向きとなる第１位置(図６〜図９,図１２,図１６参照)で開閉部材２８,２９が閉鎖位置に保持されると共に、両腕部４９,５０の係合凹部４９ａ,５０ａが斜め上向きとなる第２位置(図１０,図１４,図１８参照)で開閉部材２８,２９が開放位置に保持されるよう構成される。なお、前記装置本体３０に第２作動部材４５が支持された状態で、前記第１腕部４９および第２腕部５０の間に前記第２球通路３０ｂが画成される。
【００３２】
前記接続部５２は、図４に示すように、前記第２腕部５０の後端上部から前記第１腕部４９とは反対側に向けて突出形成された突出部５２ａに、上方へ向けて突出形成された連繋突部５２ｂを備え、該連繋突部５２ｂが、前記第１作動部材４４の作動体４６に形成した連繋孔４６ａに挿入係合されるよう構成される(図７,図９参照)。連繋突部５２ｂの前後寸法は、連繋孔４６ａの前後寸法より小さく、第１作動部材４４の第１位置において連繋孔４６ａの後端側に連繋突部５２ｂが位置して、該連繋突部５２ｂの前側には連繋孔４６ａの前縁との間にすき間が画成されるようになっている。このすき間の前後寸法は、第１作動部材４４が第１位置から第２位置に移動する際に、前記解除部４８が第１規制部材５５の第１アーム５９を押し上げて、該第１規制部材５５と第２作動部材４５との係合を解除した後に、連繋孔４６ａの前縁に連繋突部５２ｂが当接して第２作動部材４５の回転が開始される値に設定される。なお実施例では、第１作動部材４４の第１位置において前記連繋孔４６ａの後端に前記連繋突部５２ｂの後端とが当接している。
【００３３】
前記第２腕部５０の上端部には、該第２腕部５０(第２作動部材４５)が第１位置にある状態において前記揺動軸５３よりも前方位置に、規制突部５４が上方へ突出するよう形成されている。規制突部５４は、第２作動部材４５および第１作動部材４４が第１位置にある状態で、図１２に示す如く、第１作動部材４４の規制突起４６ｃの前方に、前記規制手段３３における後述する第１規制部材５５の第１アーム５９の規制部５９ｂが挿入可能な寸法だけ離間して位置している。すなわち、第１アーム５９の規制部５９ｂが規制突部５４と規制突起４６ｃとの間に挿入されている状態では、該規制突部５４の後面が規制部５９ｂの前面に当接係合し、前記第１腕部４９および第２腕部５０が上方移動する方向(第１位置から第２位置へ移動する方向)への第２作動部材４５の回転を規制するよう構成される。この状態(第１開閉部材２８および第２開閉部材２９は閉鎖位置にあり、かつ前枠１４が閉鎖された状態)では、第２作動部材４５の第２位置に向けた方向(図１２では反時計回り方向)への回転が規制されて、第１開閉部材２８および第２開閉部材２９の強制開放を防止するようになっている。但し、前記ソレノイド３１の励磁により前記第１作動部材４４が後方へスライドすることで、前記解除部４８により第１規制部材５５における第１アーム５９の規制部５９ｂを規制突部５４と規制突起４６ｃとの間から押し上げて係合を解除することで、前記連繋孔４６ａに係合した連繋突部５２ｂが後方へ引っ張られ、第２作動部材４５が第２位置へ向けて回転し得るようになっている。なお、前記規制突部５４の上部前端面は、図４,図６,図１２等に示す如く、後側から前側に向けて下方傾斜する傾斜面５４ａとされ、第２作動部材４５が第１位置と第２位置との間を揺動する際に、該規制突部５４が許容姿勢となった第１規制部材５５と干渉するのを防止するよう構成される。
【００３４】
(規制手段について)
次に、前記前枠１４を閉鎖した状態での前記作動手段３２の強制的な作動を規制する規制手段３３について説明する。図４に示すように、前記規制手段３３は、前記第１位置にある作動手段３２(第２作動部材４５)に対して係脱可能に係合して該第１位置から第２位置への作動手段３２(第２作動部材４５)の変位を規制する第１規制部材５５と、該第１規制部材５５に連繋接続され、前記中枠１２に対する前枠１４の開放に伴って作動手段３２(第２作動部材４５)に対する第１規制部材５５の係合を解除する第２規制部材５６とから構成されている。すなわち、前記前枠１４を中枠１２に対して閉鎖した状態では、前記作動手段３２(第２作動部材４５)の第１位置から第２位置への変位を前記規制手段３３(第１規制部材５５)が規制することで、第１開閉部材２８および第２開閉部材２９の強制開放が防止され、前枠１４を中枠１２に対して開放することで、第１開閉部材２８または第２開閉部材２９の強制開放に伴った作動手段３２(第２作動部材４５)の第１位置から第２位置への変位を許容するよう構成される。実施例では、作動手段３２(第２作動部材４５)の第１位置から第２位置への変位を規制する状態での第１規制部材５５および第２規制部材５６の姿勢または位置を夫々規制姿勢と指称すると共に、作動手段３２(第２作動部材４５)の第１位置から第２位置への変位を許容する状態での第１規制部材５５および第２規制部材５６の姿勢または位置を夫々許容姿勢と指称するものとする。
【００３５】
(第１規制部材について)
前記第１規制部材５５は、図３に示すように、前記取付部材２７(第１の装飾板３６)および装置本体３０の間に配置されて、回転軸５７を挿通する通孔５８ａが前後方向に貫通する枢支部５８と、該枢支部５８から径方向外方に延出するよう形成され、前記第１位置にある作動手段３２(第２作動部材４５)に対して係脱可能に係合する第１アーム５９と、該枢支部５８から径方向外方に延出するよう形成され、前記第２規制部材５６に連繋接続する第２アーム６０とから構成されている。そして、前記枢支部５８の通孔５８ａに挿通された回転軸５７を、前記取付部材２７(第１の装飾板３６)および装置本体３０に形成した軸孔６１(第１の装飾板３６側のみ図示)に支持することで(図５参照)、該回転軸５７を中心として前記第１規制部材５５が回転し得るよう支持されている。なお、前記回転軸５７は、前記第２作動部材４５の作動体４６よりも上方位置で取付部材２７および装置本体３０に支持される。
【００３６】
前記第１アーム５９は、図６に示すように、前記枢支部５８から前記第１作動部材４４における作動体４６の上方を横断するよう延在するアーム部５９ａと、該アーム部５９ａにおける枢支部５８から離間した突出端(図６の左端部)に設けられ、下方に延出する規制部５９ｂとから略鉤手状に形成されて、当該アーム部５９ａが作動体４６の上面に当接した状態で、作動体４６に設けられた前記切欠部４６ｂに規制部５９ｂが臨むよう構成されている。そして、前記第１作動部材４４(作動体４６)を前記第１位置に変位させた状態で、前記第１規制部材５５(第１アーム５９)のアーム部５９ａを第１作動部材４４(作動体４６)の上面に当接させた際に(規制姿勢において)、前記規制部５９ｂが前記規制突部５４と規制突起４６ｃとの間(規制突部５４の回転軌道上)に挿入されて、該規制突部５４の後面が規制部５９ｂの前面に当接係合し、第２作動部材４５の第１位置から第２位置への回転を規制する。また、前記回転軸５７を中心に第１アーム５９を第１作動部材４４(作動部４６)から離間するよう第１規制部材５５を回転(すなわち図１１の時計回りに第１規制部材５５を回転)することで、第１アーム５９の規制部５９ｂが規制突部５４と規制突起４６ｃとの間(規制突部５４の回転軌道上)から離間して(許容姿勢となって)、第２作動部材４５の第１位置から第２位置への回転を許容するようになっている。すなわち、前記第１規制部材５５は、第１位置にある第２作動部材４５に係合して該第２作動部材４５の第２位置への変位を規制する規制姿勢(図１１,図１２参照)と、当該第２作動部材４５の第１位置から第２位置への変位を許容する許容姿勢(図１５,図１６参照)とに回転変位し得るよう構成されている。なお、第１規制部材５５の規制姿勢において、前記ソレノイド３１の励磁により前記第１作動部材４４が後方へスライドした際には、前記解除部４８により第１規制部材５５の第１アーム５９が押し上げられて該第１規制部材５５が許容姿勢に回転変位するようになっている(図１３,図１４参照)。
【００３７】
前記第２アーム６０は、図６,図７に示すように、前記回転軸５７を中心にして前記第１アーム５９に対して第１作動部材４４から離間する周方向に離間した位置において、前記枢支部５８から径方向外方に延出する平板状に形成されている。第２アーム６０は、前記第１規制部材５５が前記規制姿勢および許容姿勢の間の何れの状態にあっても、前記回転軸５７を通る鉛直線よりも前記第１作動部材４４(作動体４６)側に偏倚して位置するよう前記枢支部５８に設けられている。また前記第１アーム５９についても、第１規制部材５５が規制姿勢および許容姿勢の間の何れの状態にあっても、前記回転軸５７を通る鉛直線よりも第１作動部材４４(作動体４６)側に偏倚して位置するよう前記枢支部５８に設けられている。すなわち、前記第１規制部材５５は、前記第１作動部材４４(作動体４６)側に重心が常に偏って位置するよう構成されており、前記規制姿勢および許容姿勢の間の何れの状態にあっても、自重により第１規制部材５５は、第１アーム５９が第１作動部材４４における作動体４６の上面に当接する方向に(規制姿勢に向けて)付勢されるようになっている。なお、前記取付部材２７の後面には、許容姿勢の第２アーム６０を挟んで第１作動部材４４とは反対側に、該第２アーム６０の回転軌道上に位置するストッパ６２(図１３参照)が突設され、該ストッパ６２に第２アーム６０が当接することで、前記第１規制部材５５の重心が第１作動部材４４側とは反対側に偏る位置まで該第１規制部材５５が回転するのを規制するよう構成される。
【００３８】
(第２規制部材について)
前記第２規制部材５６は、図４,図５,図６等に示すように、全体が前後方向に延在する棒状に形成されて、当接部６３と、該当接部６３の後端部に設けられて、当該当接部６３より小径に形成された作動軸部６４とから構成され、前記取付部材２７の筒状部３５に前後動自在に挿通されている。当接部６３は、取付部材２７の筒状部３５における前側開口部に挿通可能な寸法に設定された小径前部の後端部に、該筒状部３５の前側開口部より大径に寸法設定された大径後部を連設して構成されて、小径前部と大径後部との間に段差部６３ａが形成されている。そして、筒状部３５に後側から挿通された当接部６３は、図５に示す如く、段差部６３ａが筒状部３５の前記抜止め部３５ａに後側から当接することで、小径前部を筒状部３５から前方に突出した状態で該筒状部３５からの脱落を防止するよう構成される。
【００３９】
なお、前記筒状部３５に介挿された前記バネ部材６５は、図５に示す如く、前端部が当接部６３の後端部に当接し、後端部が前記第１の装飾板３６の前面に当接することで、当該筒状部３５内に保持されている。そして、前記第２規制部材５６は、バネ部材６５によって常に当接部６３の段差部６３ａが前記抜止め部３５ａに当接する位置(許容姿勢)に向けて付勢されている。
【００４０】
ここで、前記筒状部３５の抜止め部３５ａに段差部６３ａが当接した状態(許容姿勢)では、前記中枠１２に対して前枠１４を閉鎖した状態で前記透視保護体１４ａが位置する位置(図５の二点鎖線位置)よりも前方へ前記当接部６３が突出するよう構成されている。すなわち、前記中枠１２に対して前枠１４を閉鎖することで、図１２に示す如く、前記当接部６３が前記透視保護体１４ａに押圧されて前記バネ部材６５の付勢力に抗して第２規制部材５６が規制位置(規制姿勢)まで後方移動すると共に、該中枠１２に対して前枠１４を開放することで、図１６に示す如く、バネ部材６５の付勢力により第２規制部材５６が許容位置(許容姿勢)まで前方移動するようになっている。なお、第２規制部材５６は、前後動することで姿勢が変化するものではないが、前述したように作動手段３２(第２作動部材４５)の第１位置から第２位置への変位を規制する状態での第２規制部材５６の前進位置を規制姿勢と指称すると共に、作動手段３２(第２作動部材４５)の第１位置から第２位置への変位を許容する状態での第２規制部材５６の後退位置を許容姿勢と指称する。
【００４１】
前記第２規制部材５６の作動軸部６４は、前記第１の装飾板３６の通孔３６ａに挿通可能な寸法に設定されて、図５に示す如く、該第２規制部材５６の許容姿勢(図５の実線位置)および規制姿勢(図５の二点鎖線位置)の間の何れの状態にあっても、第１の装飾板３６から後方に延出して前記第１規制部材５５の第１アーム５９と第２アーム６０との間に延在するよう構成されている。前記作動軸部６４には、図７および図８に示すように、前記第１規制部材５５の第２アーム６０と対向する側の面に、該第２アーム６０側に向けて突出する押圧部６６が形成されている。この押圧部６６の前端面は、作動軸部６４から離間する(径方向外方に突出する)につれて後方へ傾斜するよう形成されている。また、前記第２規制部材５６が前記規制姿勢に移動した状態では、前記第１規制部材５５の第２アーム６０が前記作動軸部６４の外周面に当接して、前記第１アーム５９が前記第１作動部材４４の作動体４６の上面に当接する前記規制姿勢に位置し得るよう構成される。そして、前記第２規制部材５６が前記規制姿勢から許容姿勢に移動する過程において、前記押圧部６６が前記第１規制部材５５の第２アーム６０に接触して該第２アーム６０を押し上げることで第１規制部材５５が許容姿勢に回転変位するようになっている(図８,図９,図１５参照)。なお、前記第２規制部材５６が規制姿勢に移動した状態において、前記規制姿勢に変位した前記第１規制部材５５の第２アーム６０が前記作動軸部６４の外周面に当接している必要は必ずしもなく、第２規制部材５６が規制姿勢から許容姿勢に移動する際に、前記押圧部６６が移動する軌動上に前記第１規制部材５５の第２アーム６０が位置する関係であればよい。
【００４２】
〔実施例の作用〕
次に、前述した実施例に係るパチンコ機の作用につき説明する。
【００４３】
先ず、実施例の始動入賞装置２１が設けられたパチンコ機１０の遊技手順を概略的に説明すると、前記遊技盤１８に設けたレール１９に沿って遊技領域１８ａに打ち出されたパチンコ球は、遊技盤１８上に設けた遊技釘等に接触して流下方向を変更しながら流下する。そして、前記遊技領域１８ａを流下するパチンコ球が前記始動通過口２５を通過したことを球検出センサが検出すると、前記普通特別図柄表示装置２６において普通特別図柄変動ゲームが開始される。普通特別図柄変動ゲームの結果、前記普通特別図柄表示装置２６に当り図柄が表示されると、前記始動入賞装置２１の第１,第２開閉部材２８,２９が開放状態になり、前記下方入賞口２１ｂへのパチンコ球の入賞が許容される。また、前記上部入賞口２１ａまたは下部入賞口２１ｂにパチンコ球が入賞したことを球検出センサが検出すると、前記特別図柄表示装置１３において特別図柄変動ゲームが開始されると共に、前記球払出装置により所定数の賞球が払い出される。そして、特別図柄変動ゲームの結果、特別図柄表示装置１３に特定の図柄組合わせ(大当り図柄)が表示されると、前記特別遊技が発生する。
【００４４】
前記普通特別図柄表示装置２６の当り図柄の表示に伴なう始動入賞装置２１の具体的な動作を説明する前に、前記中枠１２に対して前枠１４が閉鎖されてパチンコ機１０が遊技に供され得る状態における前記作動手段３２および規制手段３３の位置および姿勢を説明する。
【００４５】
すなわち、前記中枠１２に対して前枠１４が閉鎖された状態では、図６,図７,図１１および図１２に示す如く、前記ソレノイド３１の非励磁状態において、前記作動手段３２の第１作動部材４４が前方の第１位置に保持されると共に、該作動手段３２の第２作動部材４５は、前記第１および第２腕部４９,５０の係合凹部４９ａ,５０ａが斜め下向きとなる第１位置に保持され、両腕部４９,５０の係合凹部４９ａ,５０ａに連繋軸２８ｂ,２９ｂを介して連繋されている前記第１および第２開閉部材２８,２９が閉鎖位置に保持される。また、前記規制手段３３の第１規制部材５５は、前記第１アーム５９のアーム部５９ａが、第１位置の第１作動部材４４における作動体４６の上面に当接すると共に、該第１アーム５９の前記規制部５９ｂが、第１位置の第１作動部材４４における前記規制突起４６ｃと第１位置の第２作動部材４５の前記規制突部５４との間に挿入された規制姿勢に自重によって保持される。更に、規制手段３３の第２規制部材５６は、前記当接部６３の前端が閉鎖位置の前記前枠１４の透視保護体１４ａに当接し、前記筒状部３５に収容されている前記バネ部材６５を圧縮した後方の規制姿勢に保持される。このとき、前記第１作動部材４４の第２アーム６０が、第２規制部材５６の前記作動軸部６４における前記押圧部６６の形成位置より前側(当接部６３側)の外周面に当接している。
【００４６】
前記ソレノイド３１が非励磁状態から励磁状態へ移行すると、前記連繋突部５２ｂの後端と前記連繋孔４６ａの後端とが当接する状態から、前記第１作動部材４４が前記プランジャ４２と共に後方へスライドして、連繋突部５２ｂの前端が連繋孔４６ａの前縁に当接した状態へ移行する。前記連繋突部５２ｂの後端と連繋孔４６ａの後端とが当接した状態では、前述したように当該連繋突部５２ｂの前端と連繋孔４６ａの前縁との間にはすき間がある。これにより、前記第１作動部材４４が後方へスライドしても直ちに連繋突部５２ｂが連繋孔４６ａと係合することはなく、該連繋突部５２ｂが連繋孔４６ａに係合する前に、第１作動部材４４の前記解除部４８が前記第１規制部材５５の第１アーム５９に当接する。自重によって規制姿勢に保持されている第１規制部材５５は、前記解除部４８が第１アーム５９に当接して該第１アーム５９が押し上げられることで(図１０,図１３,図１４参照)、前記規制部５９ｂが前記規制突起４６ｃと規制突部５４との間から上方に離間するよう回転して第２作動部材４５における規制突部５４の回転軌道上から退避した許容姿勢に変位する。その後、更に第１作動部材４４が後方へスライドすることで、前記連繋突部５２ｂと連繋孔４６ａとが係合して前記第２作動部材４５が前記揺動軸５３,５３を中心に前端が上方(図１４における反時計回り方向)へ揺動する。すなわち、前記第２作動部材４５は、第１規制部材５５の規制部５９ｂによる規制が解除された後に揺動されるので、第１,第２作動部材４４,４５のスムーズな作動が実現される。
【００４７】
前記第１作動部材４４の後方へのスライドによって前記第２作動部材４５が揺動して前記第１,第２腕部４９,５０が上昇することで、図１０,図１４に示す如く、両腕部４９,５０に係合する連繋軸２８ｂ,２９ｂが持ち上げられ、前記第１,第２開閉部材２８,２９が開放される。ここで、前記解除部４８が第１アーム５９に当接する際には、先ず該解除部４８の後端部に形成された傾斜案内面４８ａが第１アーム５９に当接することにより、該第１アーム５９をスムーズに押し上げることができ、前記ソレノイド３１に大きな負荷を掛けることなく第１作動部材４４の第１位置から第２位置への移動を確実に行なうことができるので、前記第１,第２開閉部材２８,２９を確実に開放位置まで開放し得る。
【００４８】
前記第１,第２開閉部材２８,２９が開放すると、前記下部入賞口２１ｂへのパチンコ球の入賞が許容される。下部入賞口２１ｂに入賞したパチンコ球は、前記下部球受け部３８の球誘導部で前記取付部材２７の開口部２７ａに向けて誘導され、該開口部２７ａを通って前記装置本体３０の第２球通路３０ｂに通入し、遊技盤１８の裏側へ排出される。また、前記第２球通路３０ｂを通過するパチンコ球が球検出センサで検出され、前記球払出装置によって所定数の賞球が払い出される。なお、前記始動入賞装置２１に設けられている前記上部入賞口２１ａは、常に上方に開放しており、パチンコ球の入賞が許容されている。この上部入賞口２１ａにパチンコ球が入賞すると、パチンコ球は、前記装置本体３０の第１球通路３０ａに通入し、遊技盤１８の裏側へ排出される。このとき、前記下部入賞口２１ｂへ入賞した場合と同様に、球検出センサがパチンコ球を検出し、所定数の賞球が払い出される。なお、パチンコ球が上部入賞口２１ａに入賞した場合と、下部入賞口２１ｂに入賞した場合とでは、払い出される賞球の数が異なるよう設定されており、遊技の趣向が高められている。
【００４９】
前記ソレノイド３１が励磁状態から非励磁状態になると、前記プランジャ４２が弾性部材４３の弾力によって前進し、前記第１作動部材４４が前方へスライドして第１位置に移動する。このとき、前記第１作動部材４４が第１位置から第２位置へ移動する場合とは逆に、前記連繋突部５２ｂと連繋孔４６ａとが係合した状態で前記第２作動部材４５が前記揺動軸５３,５３を中心に前端が下方(図１４における時計回り方向)へ揺動するのに伴い、前記第１,第２開閉部材２８,２９が閉鎖される。そして、第１,第２開閉部材２８,２９が閉鎖位置に保持された後、更に第１作動部材４４が前方へスライドすることで、前記解除部４８が前記第１規制部材５５の第１アーム５９から離間し、該第１規制部材５５は自重によって第１アーム５９が第１作動部材４４における作動体４６の上面に当接するよう回転することで、前記規制部５９ｂが前記規制突起４６ｃと規制突部５４との間に挿入された規制姿勢に変位する。
【００５０】
前記ソレノイド３１の非励磁状態にあっては、前記始動入賞装置２１の第１,第２開閉部材２８,２９は閉鎖位置に保持される。すなわち、図６,図７,図１１および図１２に示すように、前記第１規制部材５５は、前記規制部５９ｂが前記規制突起４６ｃと規制突部５４との間に挿入されて、該規制部５９ｂの前面に規制突起５４の後面が当接係合した規制姿勢に保持されている。これにより、前記第２作動部材４５の揺動が規制され、前記第１,第２開閉部材２８,２９の強制開放は防止される。すなわち、パチンコ機１０の隙間から遊技領域１８ａ内へ侵入させた針金等を閉鎖位置の開閉部材２８,２９に引掛け、該開閉部材２８,２９を開放位置に向けて強制的に回転させようとした場合は、前記連繋軸２８ｂ,２９ｂを介して連繋されている前記第２作動部材４５が、前記両腕部４９,５０を上昇する方向に付勢される。このとき、前記第１規制部材５５の規制部５９ｂは、前記第２作動部材４５における規制突部５４の回転軌道上であって該規制突部５４の裏面に当接係合しているので、第２作動部材４５の第２位置、すなわち開閉部材２８,２９を開放する位置に向けての回転が規制され、よって第１,第２開閉部材２８,２９の強制開放は防止される。
【００５１】
次に、前記パチンコ機１０の検査工程で実施される前記始動入賞装置２１の賞球確認を、前記ソレノイド３１を励磁状態(通電)することなく行なう場合について説明する。
【００５２】
前記始動入賞装置２１の賞球確認を行なう場合は、前記中枠１２に対して前記前枠１４を開放する。これにより、前記透視保護体１４ａに当接していた前記第２規制部材５６は、該透視保護体１４ａが前方に離間するのに伴い、前記バネ部材６５の付勢力によって図５の二点鎖線位置から実線位置に向けて前方へ移動し、許容位置に至る。この第２規制部材５６の前方への移動に伴い、図８,図１５に示す如く、前記作動軸部６４に突設した前記押圧部６６が、前記第１規制部材５５の第２アーム６０に当接して押し上げ、第１規制部材５５が許容姿勢に回転変位する。すなわち、前記第１規制部材５５の前記規制部５９ｂは、前記第２作動部材４５の規制突部５４と第１作動部材４４の規制突起４６ｃとの間から上方に離間して第２作動部材４５における規制突部５４の回転軌道上から退避する。これにより、閉鎖位置の第１,第２開閉部材２８,２９を強制的に開放位置に回転した場合は、前記第２作動部材４５の規制突部５４が第１規制部材５５の規制部５９ｂに当接して回転が規制されることはなく、第２作動部材４５の第２位置への回転が許容され、第１,第２開閉部材２８,２９を強制開放することができる。
【００５３】
以上に説明したように、実施例に係るパチンコ機１０は、遊技に供され得る状態において、前記始動入賞装置２１のソレノイド３１の非励磁状態(非作動時)では、規制姿勢となっている第１規制部材５５が第２作動部材４５の回転を規制して第１,第２開閉部材２８,２９を閉鎖位置に保持するので、第１,第２開閉部材２８,２９の不正な強制的開放を防止し得る。また、ソレノイド３１を励磁した際には、前記第１作動部材４４の移動によって前記第１規制部材５５による第２作動部材４５の回転規制を一時的に解除して該第２作動部材４５の第２位置への回転を許容するので、第１,第２開閉部材２８,２９を開放して前記下部入賞口２１ｂへの正規な入賞を確保することができる。一方で、前記中枠１２に対して前枠１４を開放することで、前記第２規制部材５６の移動によって前記第１規制部材５５を規制姿勢から許容姿勢に変位させ、該第１規制部材５５による第２作動部材４５の回転規制を解除して、該第２作動部材４５の第２位置への回転を許容することができる。すなわち、中枠１２に対して前枠１４を開放したパチンコ機１０が遊技に供されない状態では、前記ソレノイド３１を励磁することなく手動で第１,第２開閉部材２８,２９を開放することができる。従って、パチンコ機１０の検査工程で実施される始動入賞装置２１の賞球確認を効率的に行ない得る。しかも、前記第１規制部材５５(規制手段３３)による第２作動部材４５(作動手段３２)の回転を規制する状態と許容する状態との切換えは、始動入賞装置２１の下部入賞口２１ｂへのパチンコ球の入賞を行なうために必須となる前枠１４の開閉動作によって行なわれるから、第１規制部材５５(規制手段３３)の姿勢を切換えるための専用の部材や駆動手段等を別途設ける必要はなく、始動入賞装置２１の構成が複雑化したり製造コストが上昇するのを抑制し得る。
【００５４】
〔変更例〕
本願は前述した実施例の構成に限定されるものではなく、その他の構成を適宜に採用することができる。
(1) 実施例では、入賞装置を、特別図柄変動ゲームを開始させる契機となる始動入賞装置として採用した場合を示したが、例えば、図１に示す一般入賞装置に開閉部材を設けたような、入賞することで単に賞球が払い出されるものであってもよい。
(2) 実施例では、入賞装置の入賞口を一対の開閉部材で開閉するよう構成したが、１つの開閉部材によって入賞口を開閉するものであってもよい。
(3) 実施例では、入賞口へのパチンコ球の入賞を阻止する閉鎖位置に保持されている開閉部材に連繋する第２作動部材の規制突部に、規制姿勢の第１規制部材の規制部が当接係合する場合で説明したが、この状態で規制突部に規制部が当接係合している必要は必ずしもなく、開閉部材が開放位置に向けて強制的に回転された際に、入賞口へのパチンコ球の入賞を許容する位置まで回転する前に、前記第２作動部材の規制突部が第１規制部材の規制部に当接係合して、それ以上の回転を規制するものであればよい。すなわち、作動手段(第２作動部材)の第１位置とは、該作動手段(第２作動部材)により変位される開閉部材で入賞口へのパチンコ球の入賞を阻止する所定範囲を意味する。
(4) 実施例では、第１規制部材が自重で規制姿勢に位置するよう構成したが、第１規制部材をバネ等の弾性部材によって常に規制姿勢に向けて付勢する構成を採用し得る。
(5) 実施例では、第１規制部材を取付部材と装置本体とに支持した回転軸に回転自在に支持するよう構成したが、第１規制部材に突設した回転軸を取付部材と装置本体とに回転自在に支持する構成を採用し得る。また第１規制部材を、取付部材または装置本体の一方にのみ回転自在に支持するものであってもよく、該第１規制部材を規制姿勢と許容姿勢とに変位可能な支持構成であればよい。
(6) 実施例では、第２規制部材における作動軸部に突設した押圧部によって第１規制部材を規制姿勢から許容姿勢に変位するよう構成したが、例えば、第１規制部材の第２アームに押圧部を突設すると共に、該押圧部を規制姿勢では作動軸部の外面より下側に位置させる切欠部や凹部を作動軸部に設け、第２規制部材が規制姿勢から許容姿勢に移動する際に第２アームの押圧部が第１規制部材の作動軸部の外面に乗り上がることで、第１規制部材を規制姿勢から許容姿勢に変位する構成を採用することができる。
(7) 実施例では、第１規制部材が回転して規制姿勢と許容姿勢とに変位する形態の場合で説明したが、第１規制部材は、第１作動部材および第２規制部材の移動に伴って規制姿勢と許容姿勢とに変位する形態であればよく、例えば第１規制部材を上下動自在に支持し、第１作動部材および第２規制部材の移動に伴って第１規制部材が下方の規制姿勢(規制位置)と上方の許容姿勢(許容位置)とに変位する構成を採用し得る。
(8) 実施例では、第１作動部材と第２作動部材とを連繋孔と連繋突部とで係合するよう構成したが、両作動部材の係合構造はこれに限られるものでなく、第１作動部材の移動に伴って第２作動部材を移動し得るものであれば、各種の形態を採用し得る。
(9) 実施例では、第１作動部材の作動体の上面に突設した解除部によって第１規制部材を一時的に規制姿勢から許容姿勢に変位するよう構成したが、例えば、第１規制部材の第１アームの下面に解除部を突設すると共に、該解除部を第１位置では作動体の上面より下側に位置させる切欠部や凹部を作動体に設け、第１作動部材が第１位置から第２位置に移動する過程で第１アームの解除部が第１作動部材の作動体の上面に乗り上がることで、第１規制部材を規制姿勢から許容姿勢に変位する構成を採用することができる。
(10) 実施例では、開閉部材を作動する駆動手段としてソレノイドを採用したが、駆動手段としてはソレノイドに限定されず、モータとラック−ピニオンの組合せ等、従来公知の各種の手段を採用できる。
(11) 遊技機としては、パチンコ機に限られるものではなく、アレンジボール機やパチンコ球を用いたスロットマシン等、その他各種の遊技機であってもよい。
【符号の説明】
【００５５】
１２  中枠(本体)
１４  前枠(前側部材)
１８  遊技盤
２１  始動入賞装置(入賞装置)
２１ｂ  下部入賞口(入賞口)
２８  第１開閉部材(開閉部材)
２９  第２開閉部材(開閉部材)
３０  装置本体
３１  ソレノイド(駆動手段)
３２  作動手段
３３  規制手段
４４  第１作動部材
４５  第２作動部材
４８  解除部
５５  第１規制部材
５６  第２規制部材
５８  枢支部
５９  第１アーム
６０  第２アーム
６６  押圧部
【図１】
0005368402.tif 000002
【図２】
0005368402.tif 000003
【図３】
0005368402.tif 000004
【図４】
0005368402.tif 000005
【図５】
0005368402.tif 000006
【図６】
0005368402.tif 000007
【図７】
0005368402.tif 000008
【図８】
0005368402.tif 000009
【図９】
0005368402.tif 000010
【図１０】
0005368402.tif 000011
【図１１】
0005368402.tif 000012
【図１２】
0005368402.tif 000013
【図１３】
0005368402.tif 000014
【図１４】
0005368402.tif 000015
【図１５】
0005368402.tif 000016
【図１６】
0005368402.tif 000017
【図１７】
0005368402.tif 000018
【図１８】
0005368402.tif 000019